(57)【要約】【課題】グリーン面上にマークしたときに、位置が明瞭に視認でき、簡便に起立部を起立できるゴルフボール用マーカーを提供する。【解決手段】基盤部２と起立部４との間に設けられ、起立部４を起立させるバネ５を有し、基盤部２の周縁に突出して設けられ、基盤部２に形成された凹部２０に収められて支持された弾性部６０を有する係合爪６と、基盤部２と向かい合う起立部４の周縁に設けられ、係合爪６が挿入されて係合する奥行き方向が外周２１方向に屈曲した鍵状の穴からなる係合部４０と、凹部２０から基盤部２の外周２１に向かって形成された孔２２に凹部２０方向と外周２１方向とに可動可能に挿入され、外周２１から突出して設けられて係合爪６を押圧するボタン７と、を備え、閉止位置で、ボタン７が凹部２０方向に移動して係合爪６を押圧すると、係合爪６の弾性部６０が撓んで、係合爪６が係合部４０から外れて起立部４が起立する。【選択図】図２
0003207928.tif 000002
【実用新案登録請求の範囲】
【請求項１】
グリーン面に置かれる基盤部と、前記基盤部とヒンジ部によって回動可能に連結されて、前記基盤部と向かい合う閉止位置から起立する起立部とを備えたゴルフボール用マーカーであって、
前記基盤部と前記起立部との間に設けられ、前記起立部を起立させるバネを有し、
前記基盤部の周縁に突出して設けられ、前記基盤部に形成された凹部に収められて支持された弾性部を有する係合爪と、
前記基盤部と向かい合う前記起立部の周縁に設けられ、前記係合爪が挿入されて係合する奥行き方向が外周方向に屈曲した鍵状の穴からなる係合部と、
前記凹部から前記基盤部の外周に向かって形成された孔に前記凹部方向と前記外周方向とに可動可能に挿入され、外周から突出して設けられて前記係合爪を押圧するボタンと、を備え、
前記閉止位置で、前記ボタンが前記凹部方向に移動して前記係合爪を押圧すると、前記係合爪の前記弾性部が撓んで、前記係合爪が前記係合部から外れて前記起立部が起立する
ことを特徴とするゴルフボール用マーカー。
【請求項２】
前記ボタンは、前記係合爪に接触して設けられ、前記凹部の内壁と前記係合爪との間の前記ボタンにストッパが設けられている
ことを特徴とする請求項１に記載のゴルフボール用マーカー。
【請求項３】
前記起立部に、反射部材が設けられている
ことを特徴とする請求項１又は請求項２に記載のゴルフボール用マーカー。
【請求項４】
前記基盤部が円盤形状で、前記起立部の前記基盤部と向かい合う面の反対面が、凸面形状を有している
ことを特徴とする請求項１〜請求項３までのいずれか１項に記載のゴルフボール用マーカー。
【考案の詳細な説明】
【技術分野】
【０００１】
本考案は、ゴルフボール用マーカーに関する。
【背景技術】
【０００２】
ゴルフボール用マーカーとして、グリーン面とほぼ面一となる基盤部と、ヒンジ部を介して基盤部の上面側に起立部を備えたいわゆる跳ね上げ型のゴルフボール用マーカーが知られている（例えば、特許文献１参照）。これらのゴルフボール用マーカーでは、グリーン上のゴルフボール用マーカーがプレーヤから遠くにある場合に、プレーヤが指で起立部を起立させ、ヒンジ部の摩擦により起立部を固定させて、ゴルフボール用マーカーの視認性を上げる。
【先行技術文献】
【特許文献】
【０００３】
【特許文献１】特許第３１１８２２２号公報
【考案の概要】
【考案が解決しようとする課題】
【０００４】
本考案は、グリーン面上にマークしたときに、位置が明瞭に視認でき、簡便に起立部を起立できるゴルフボール用マーカーを提供する。
【課題を解決するための手段】
【０００５】
（１）本考案に係る態様は、グリーン面に置かれる基盤部と、基盤部とヒンジ部によって回動可能に連結されて、基盤部と向かい合う閉止位置から起立する起立部とを備えたゴルフボール用マーカーであって、基盤部と起立部との間に設けられ、起立部を起立させるバネを有し、基盤部の周縁に突出して設けられ、基盤部に形成された凹部に収められて支持された弾性部を有する係合爪と、基盤部と向かい合う起立部の周縁に設けられ、係合爪が挿入されて係合する奥行き方向が外周方向に屈曲した鍵状の穴からなる係合部と、凹部から基盤部の外周に向かって形成された孔に凹部方向と外周方向とに可動可能に挿入され、外周から突出して設けられて係合爪を押圧するボタンと、を備え、閉止位置で、ボタンが凹部方向に移動して係合爪を押圧すると、係合爪の弾性部が撓んで、係合爪が係合部から外れて起立部が起立するゴルフボール用マーカーを提供する。
（２）上記（１）に記載のゴルフボール用マーカーにおいて、ボタンは、係合爪に接触して設けられ、凹部の内壁と係合爪との間のボタンにストッパが設けられてもよい。
（３）上記（１）又は（２）に記載のゴルフボール用マーカーにおいて、起立部に、反射部材が設けられていてもよい。
（４）上記（１）〜（３）までのいずれか一つに記載のゴルフボール用マーカーにおいて、基盤部が円盤形状で、起立部の基盤部と向かい合う面の反対面が、凸面形状を有していてもよい。
【考案の効果】
【０００６】
本考案によれば、グリーン面上にマークしたときに、位置が明瞭に視認でき、簡便に起立部を起立できるゴルフボール用マーカーを提供できる。
【図面の簡単な説明】
【０００７】
【図１】本考案の実施形態に係るゴルフボール用マーカーの（ａ）は閉止位置での正面図、（ｂ）は平面図、（ｃ）は側面図である。
【図２】（ａ）は起立部が起立した正面図、（ｂ）は平面図、（ｃ）は側面図である。
【図３】（ａ）は係合爪と係合部が係合している状態でのボタン付近の拡大平面図、（ｂ）は図１（ａ）におけるＡ−Ａ拡大断面図である。
【図４】（ａ）は係合爪と係合部の係合がはずれた状態でのボタン付近の拡大平面図、（ｂ）は図２（ａ）におけるＢ−Ｂ拡大断面図である。
【考案を実施するための形態】
【０００８】
実施形態に係るゴルフボール用マーカー１は、グリーン面Ｇに置かれる基盤部２と、基盤部２とヒンジ部３によって回動可能に連結されて、基盤部２と向かい合う閉止位置から起立する起立部４とを備えたゴルフボール用マーカー１であって、基盤部２と起立部４との間に設けられ、起立部４を起立させるバネ５を有し、基盤部２の周縁に突出して設けられ、基盤部２に形成された凹部２０に収められて支持された弾性部６０を有する係合爪６と、基盤部２と向かい合う起立部４の周縁に設けられ、係合爪６が挿入されて係合する奥行き方向が外周２１方向に屈曲した鍵状の穴からなる係合部４０と、凹部２０から基盤部２の外周２１に向かって形成された孔２２に凹部２０方向と外周２１方向とに可動可能に挿入され、外周２１から突出して設けられて係合爪６を押圧するボタン７と、を備え、閉止位置で、ボタン７が凹部２０方向に移動して係合爪６を押圧すると、係合爪６の弾性部６０が撓んで、係合爪６が係合部４０から外れて起立部４が起立する。
【０００９】
以下、ゴルフボール用マーカー１を、図面を参照して説明する。図１及び図２において、ゴルフボール用マーカー１は、グリーン面Ｇに基盤部２が接するように置かれる。ゴルフボール用マーカー１が、プレーヤに近い場合は、図１に示すように、起立部４を基盤部２に重ねた閉止位置で使用する。一方、ゴルフボール用マーカー１が、プレーヤから遠くにある場合は、図２に示すように、起立部４を基盤部２から起立させて使用する。ここで、ゴルフボール用マーカー１が、プレーヤに近い場合とは、起立部４を起立させなくても視認できる距離である場合であり、遠い場合とは、起立部４を起立させなくては視認しにくい距離である場合である。
【００１０】
図１及び図２において、ゴルフボール用マーカー１は、平面視において円形状である。基盤部２は、例えば、直径４２ｍｍ、厚さ５ｍｍの略円盤形状であり、起立部４は平面視において円形状で、起立部４の基盤部２と面する面の反対面が、中心部の厚さが、例えば、３ｍｍの凸面形状を有している。また、基盤部２には、平面視において、基盤部２の直径より短い径の円筒形状の凹部２３が形成されている。以上に示した、直径、厚さの数値は、一例でありこれらの数値に限らない。プレーヤが携帯しやすく、プレーの邪魔にならない大きさを選ぶことができる。
【００１１】
基盤部２と起立部４とは、それらの周縁の一部がヒンジ部３によって、回動可能に連結されている。ヒンジ部３としては、よく知られた構造を用いることができる。例えば、起立部４に二股部を形成し、基盤部２に二股部に挿入する挿入部を設け、ピンを二股部と挿入部に通して、基盤部２と起立部４とを回動可能に連結することができる。
【００１２】
起立部４には、反射部材４１が設けられている。反射部材４１は反射性の高いガラス球、金属球、反射率の高いコーティングを施したもの等を用いることで、色々な方向からの光に対し、光を反射し視認性を高めることができる。また、装飾性を高めることができる。さらに、起立部４が、凸面形状を有していることにより、より広い方向からの視認性が高まる。
【００１３】
基盤部２と起立部４との間のヒンジ部３の内側には、バネ５が設けられ、バネ５の反発力で起立部４が起立する。バネ５としては、例えば、金属製の板バネを用いることができる。バネ５は、基盤部２に形成された凹部２３内にかけて設けることで、起立部４が閉止位置で、バネ５が凹部２３に収まり、基盤部２と起立部４とが隙間なく略重なり合う。起立部４の起立角度は９０°でもよいし、バネ５を調整することにより適切な角度に調節できる。
【００１４】
図２において、係合爪６は、ヒンジ部３及びバネ５の設けられている位置とは反対側の基盤部２の周縁に突出して設けられている。基盤部２の周縁には、係合爪６の一部を収める凹部２０が形成され、係合爪６は、先端が曲がったフック形状で基部の両側に弾性部６０を有している。ここで、実施形態では、弾性部６０は、係合爪６と一体で形成されている。凹部２０は、平面視において、略矩形状であり、弾性部６０を支持するための矩形状の支持部２００が凹部２０の一部として、凹部２０の両側に形成されている。係合爪６は、弾性部６０を支持部２００に挿入して一部が凹部２０に収められている。
【００１５】
ボタン７の形状は、先端部７０が傘状で基部７１が円柱状の鋲形状である。ボタン７の先端部７０は、基盤部２の外周２１から突出して設けられている。また、ボタン７を押圧した際に、ボタン７の先端部７０が基盤部２に収まるように、基盤部２の外周２１には、ボタン７の動く方向に切欠き２４が形成されている。
【００１６】
孔２２は、凹部２０から外周２１に向かって形成されている。孔２２は、円筒形状である。孔２２には、ボタン７の円柱形状の基部７１が凹部２０方向と外周２１方向とに可動可能に挿入されている。ここで、ボタン７が凹部２０方向と外周２１方向とに可動可能に挿入されれば、孔２２の形状は、円筒形状に限らず、ボタン７の基部７１の形状は円柱形状に限らない。例えば、それぞれ多角形の形状であってもよい。
【００１７】
ボタン７は、係合爪６に接触して設けられ、凹部２０の内壁と係合爪６との間のボタン７の基部７１にストッパ８が設けられている。ストッパ８には、孔２２より大きな矩形状の板で中心に基部７１を通す図示しない孔が形成されている。基部７１を孔２２に挿入後、凹部２０の中で基部７１をストッパ８の孔に挿入して基部７１にストッパ８を固定する。固定は、ストッパ８に形成された孔を小さめに形成し、基部７１をストッパ８の孔に嵌合させることにより固定できる。また、接着剤で固定してもよい。ストッパ８により、ボタン７が孔２２から抜け落ちるのを防ぐことができる。
【００１８】
図３において、係合部４０は、閉止位置において係合爪６が設けられている位置に向かい合う起立部４の周縁に形成されている。係合部４０には、係合爪６が挿入され、係合爪６が外周２１方向に移動すると、係合爪６の先端６１が、穴である係合部４０の外周２１方向に屈曲した部分に入り込む。
【００１９】
基盤部２、ヒンジ部３、起立部４、係合爪６、ボタン７、ストッパ８及び反射部材４１は、合成樹脂で形成されてもよいし、金属で形成されてもよい。弾性部６０は、合成樹脂及び金属のいずれの場合でも弾性を有するものを用いる。弾性部６０を係合爪６と一体に形成する場合は、係合爪６が弾性を有するものを用いる。
【００２０】
以下、ボタン７の動きと係合爪６の動きについて説明する。図３において、閉止位置では、ボタン７が実線矢印で示す外周２１方向で止まっており、係合爪６のフック形状の先端が係合部４０に係合している。
【００２１】
図４において、ボタン７を例えば指で押圧して、ボタン７が実線矢印で示す凹部２０方向に移動すると、係合爪６が押圧ボタン７により押圧されて弾性部６０が撓んで、係合爪６が係合部４０から外れ、バネ５の反発力で起立部４が基盤部２から起立する。起立部４が基盤部２から起立した後、ボタン７から指を離すと、弾性部６０が元の形状に戻り、ボタン７が、図３に示した位置に戻る。
【００２２】
ここで、係合爪６と係合部４０との係合は以下ように行われる。起立部４を閉止位置にする過程で、係合爪６のフック形状の先端上部の外周２１側を、穴である係合部４０の縁を押す。係合爪６の先端は、係合部４０の縁に接触して滑りながら凹部２０方向に動く。係合爪６のフック形状の先端が、係合部４０の縁を乗り越えて係合部４０の中に入り込むと、図３に示した状態になり閉止位置で係合する。また、図４の状態で、起立部４を閉止位置にして、指をボタン７から離すことで、係合爪６が図３に示した位置に戻り、係合爪６を係合部４０に係合する。
【００２３】
本考案に係る実施形態のゴルフボール用マーカー１によれば、グリーン面Ｇ上にマークしたときに、位置が明瞭に視認でき、ボタン７を押すだけで簡便に起立部４を起立できるゴルフボール用マーカー１を提供できる。
【００２４】
実施形態において、ボタン７は、係合爪６に取り付けられていてもよい。例えば、ボタン７を孔２２に挿入後、ボタン７を凹部２０の中で係合爪６に接着剤によって接着することにより取り付ける。また、係合爪６にボタン７と嵌合する孔を形成して嵌め込んで固定してもよい。
【００２５】
また、切欠き２４を形成しないで、ボタン７が常に基盤部２の外周２１から突出する状態で設けてもよい。
【００２６】
さらに、基盤部２及び起立部４の形状は、平面視において、矩形、五角形、六角形等でもよいし、起立部４に種々の意匠が施されていてもよい。
【００２７】
実施形態に係るゴルフボール用マーカー１は、帽子等に取付けられる台座に、磁力等で脱着可能に取り付けてもよい。
【符号の説明】
【００２８】
１…  ゴルフボール用マーカー
２…  基盤部
３…  ヒンジ部
４…  起立部
５…  バネ
６…  係合爪
７…  ボタン
８…  ストッパ
２０…  凹部
２１…  外周
２２…  孔
４０…  係合部
４１…  反射部材
６０…  弾性部
７０…  先端部
７１…  基部
Ｇ…  グリーン面
【図１】
0003207928.tif 000003
【図２】
0003207928.tif 000004
【図３】
0003207928.tif 000005
【図４】
0003207928.tif 000006